(57)【要約】【課題】簡単な回路構成により、起動された複数の電力生成部の電圧値の減衰速度が電力生成部の負荷によって変化する各電力生成部を予定された順に停止させることができる電力供給装置を提供する。【解決手段】ＤＣＤＣ制御部３２２は電力生成部３２４〜３２６の電圧値Ｖ１〜Ｖ３のそれぞれを停止するために必要となる時間を停止時間情報７００を参照して取得し、信号ＥＮ１〜ＥＮ３を出力するタイミングに関する情報をタイミング情報８００，８１０を参照して取得し、停止時間情報７００及びタイミング情報８００，８１０に応じて、電力生成部３２６、電力生成部３２５、電力生成部３２４の電圧値Ｖ３〜Ｖ１がこの順で停止するように、電力生成部３２４〜３２６の停止を開始するための信号ＥＮ１〜ＥＮ３を出力する。【選択図】図６
2016134027.tif 000002
【特許請求の範囲】
【請求項１】
電力を生成する第１の電力生成部及び第２の電力生成部を備える電力供給装置において、
前記第１の電力生成部及び前記第２の電力生成部を停止する停止処理を実行する実行手段と、
前記第１の電力生成部及び前記第２の電力生成部に対して前記停止処理を開始するための第１の信号及び第２の信号を出力するとともに、前記第１の信号及び前記第２の信号を出力するタイミングを制御する制御手段と、
前記第１の電力生成部及び前記第２の電力生成部の負荷に基づいて前記第１の電力生成部及び前記第２の電力生成部の前記停止処理に要する時間と前記第１の電力生成部及び前記第２の電力生成部の前記停止処理を開始する順序とを取得する取得手段とを備え、
前記取得された前記時間と前記順序とに基づいて前記タイミングが制御されることを特徴とする電力供給装置。
【請求項２】
前記第２の電力生成部の前記停止処理を開始する時刻は、前記第１の電力生成部の前記停止処理を開始する時刻に前記第１の電力生成部の前記停止処理に要する時間を加算した時刻から前記第２の電力生成部の前記停止処理に要する時間を減算した時刻よりも前の時刻であることを特徴とする請求項１記載の電力供給装置。
【請求項３】
前記取得手段は予め規定された前記負荷と前記順序との関係に基づいて前記順序を取得することを特徴とする請求項１又は２記載の電力供給装置。
【請求項４】
電力を生成する第１の電力生成部及び第２の電力生成部を備える画像形成装置において、
前記第１の電力生成部及び前記第２の電力生成部を停止する停止処理を実行する実行手段と、
前記第１の電力生成部及び前記第２の電力生成部に対して前記停止処理を開始するための第１の信号及び第２の信号を出力するとともに、前記第１の信号及び前記第２の信号を出力するタイミングを制御する制御手段と、
前記第１の電力生成部及び前記第２の電力生成部の負荷に基づいて前記第１の電力生成部及び前記第２の電力生成部の前記停止処理に要する時間と前記第１の電力生成部及び前記第２の電力生成部の前記停止処理を開始する順序とを取得する取得手段とを備え、
前記取得された前記時間と前記順序とに基づいて前記タイミングが制御されることを特徴とする画像形成装置。
【請求項５】
電力を生成する第１の電力生成部及び第２の電力生成部を備える電力供給装置の制御方法であって、
前記第１の電力生成部及び前記第２の電力生成部を停止する停止処理を実行する実行ステップと、
前記第１の電力生成部及び前記第２の電力生成部に対して前記停止処理を開始するための第１の信号及び第２の信号を出力するとともに、前記第１の信号及び前記第２の信号を出力するタイミングを制御する制御ステップと、
前記第１の電力生成部及び前記第２の電力生成部の負荷に基づいて前記第１の電力生成部及び前記第２の電力生成部の前記停止処理に要する時間と前記第１の電力生成部及び前記第２の電力生成部の前記停止処理を開始する順序とを取得する取得ステップとを有し、
前記取得された前記時間と前記順序とに基づいて前記タイミングが制御されることを特徴とする電力供給装置の制御方法。
【請求項６】
電力を生成する第１の電力生成部及び第２の電力生成部を備える画像形成装置の制御方法であって、
前記第１の電力生成部及び前記第２の電力生成部を停止する停止処理を実行する実行ステップと、
前記第１の電力生成部及び前記第２の電力生成部に対して前記停止処理を開始するための第１の信号及び第２の信号を出力するとともに、前記第１の信号及び前記第２の信号を出力するタイミングを制御する制御ステップと、
前記第１の電力生成部及び前記第２の電力生成部の負荷に基づいて前記第１の電力生成部及び前記第２の電力生成部の前記停止処理に要する時間と前記第１の電力生成部及び前記第２の電力生成部の前記停止処理を開始する順序とを取得する取得ステップとを有し、
前記取得された前記時間と前記順序とに基づいて前記タイミングが制御されることを特徴とする画像形成装置の制御方法。
【請求項７】
電力を生成する第１の電力生成部及び第２の電力生成部を備える電力供給装置の制御方法をコンピュータに実行させるプログラムであって、
前記電力供給装置の制御方法は、
前記第１の電力生成部及び前記第２の電力生成部を停止する停止処理を実行する実行ステップと、
前記第１の電力生成部及び前記第２の電力生成部に対して前記停止処理を開始するための第１の信号及び第２の信号を出力するとともに、前記第１の信号及び前記第２の信号を出力するタイミングを制御する制御ステップと、
前記第１の電力生成部及び前記第２の電力生成部の負荷に基づいて前記第１の電力生成部及び前記第２の電力生成部の前記停止処理に要する時間と前記第１の電力生成部及び前記第２の電力生成部の前記停止処理を開始する順序とを取得する取得ステップとを有し、
前記取得された前記時間と前記順序とに基づいて前記タイミングが制御されることを特徴とするプログラム。
【請求項８】
電力を生成する第１の電力生成部及び第２の電力生成部を備える画像形成装置の制御方法をコンピュータに実行させるプログラムであって、
前記画像形成装置の制御方法は、
前記第１の電力生成部及び前記第２の電力生成部を停止する停止処理を実行する実行ステップと、
前記第１の電力生成部及び前記第２の電力生成部に対して前記停止処理を開始するための第１の信号及び第２の信号を出力するとともに、前記第１の信号及び前記第２の信号を出力するタイミングを制御する制御ステップと、
前記第１の電力生成部及び前記第２の電力生成部の負荷に基づいて前記第１の電力生成部及び前記第２の電力生成部の前記停止処理に要する時間と前記第１の電力生成部及び前記第２の電力生成部の前記停止処理を開始する順序とを取得する取得ステップとを有し、
前記取得された前記時間と前記順序とに基づいて前記タイミングが制御されることを特徴とするプログラム。
【発明の詳細な説明】
【技術分野】
【０００１】
本発明は、電力供給装置、画像形成装置、電力供給装置の制御方法、画像形成装置の制御方法、及びプログラムに関する。
【背景技術】
【０００２】
複数の機能を実現するために複数の構成要素を備え、各構成要素に供給される電力を生成する複数の電力生成部を有する画像形成装置が知られている（例えば、特許文献１参照）。特許文献１の画像形成装置は電力生成部１３０１〜１３０３及びＯＮ／ＯＦＦ回路１３０４を備える（図１３）。
【０００３】
電力の供給を開始する際、まず、電力生成部１３０１は、ＯＮ／ＯＦＦ回路１３０４から信号ＥＮ１（ＯＮ）が入力されて起動し、電圧値Ｖ１を上昇させながら電力を生成する。次いで、電力生成部１３０１の電圧値Ｖ１が所定の値（ＳＴ１）まで上昇したときに電力生成部１３０２は電力生成部１３０１から信号ＥＮ２（ＯＮ）が入力されて起動し、電圧値Ｖ２を上昇させながら電力を生成する。このとき、電圧値Ｖ１は常に電圧値Ｖ２を上回る。次いで、電力生成部１３０２の電圧値Ｖ２が所定の値（ＳＴ２）まで上昇したときに電力生成部１３０３は電力生成部１３０２から信号ＥＮ３（ＯＮ）が入力されて起動し、電圧値Ｖ３を上昇させながら電力を生成する。このとき、電圧値Ｖ２は常に電圧値Ｖ３を上回る。すなわち、電力生成部１３０１〜１３０３は順次起動する。
【０００４】
また、順次起動された電力生成部１３０１〜１３０３が停止するとき、まず、電力生成部１３０１はＯＮ／ＯＦＦ回路１３０４から信号ＥＮ１（ＯＦＦ）が入力される。信号ＥＮ１（ＯＦＦ）が入力されると電力生成部１３０１の停止処理が開始されて電圧値Ｖ１が減衰する。次いで、電力生成部１３０１の電圧値Ｖ１が所定の値（ＳＴ１）まで減衰したときに電力生成部１３０２は電力生成部１３０１から信号ＥＮ２（ＯＦＦ）が入力される。信号ＥＮ２（ＯＦＦ）が入力されると電力生成部１３０２の停止処理が開始されて電圧値Ｖ２が減衰する。次いで、電力生成部１３０２の電圧値Ｖ２が所定の値（ＳＴ２）まで減衰したときに電力生成部１３０３は電力生成部１３０２から信号ＥＮ３（ＯＦＦ）が入力される。信号ＥＮ３（ＯＦＦ）が入力されると電力生成部１３０３の停止処理が開始されて電圧値Ｖ３が減衰する。その後、電力生成部１３０１〜１３０３は電力生成部１３０３、電力生成部１３０２、電力生成部１３０１の順に停止する。すなわち、電力生成部１３０１〜１３０３は起動された順とは逆の順に停止する（図１４参照）。また、通常、電力生成部１３０１〜１３０３が順次起動され又は停止されると、画像形成装置の各構成要素に予定していない電力が供給されることがないため、画像形成装置の各構成要素の破損は発生しない。
【０００５】
ところで、電力生成部１３０１〜１３０３が停止するとき、各電力生成部の電圧値Ｖ１〜Ｖ３の減衰速度は電力生成部１３０１〜１３０３の負荷によって変化する。例えば、電力生成部１３０１が画像処理部に接続されることによって電力生成部１３０１の負荷が増加する場合、電力生成部１３０１を停止するときの電圧値Ｖ１の減衰速度は上昇する。
【先行技術文献】
【特許文献】
【０００６】
【特許文献１】特許第４７８９５０３号公報
【発明の概要】
【発明が解決しようとする課題】
【０００７】
しかしながら、通常は、上述したように、電力生成部１３０１〜１３０３を電力生成部１３０３、電力生成部１３０２、電力生成部１３０１の順に停止させることを予定しているが、例えば、電圧値Ｖ１の減衰速度が上昇したときは電力生成部１３０２の電圧値Ｖ２よりも早く電力生成部１３０１の電圧値Ｖ１が０となり、その結果、電力生成部１３０１〜１３０３を予定された順に停止させることが不可能となり、電力生成部１３０１〜１３０３は電力生成部１３０３、電力生成部１３０１、電力生成部１３０２の順に停止する（図１５参照）。すなわち、各電力生成部の電圧値の減衰速度が電力生成部の負荷によって変化するため、電力生成部を予定された順に停止させることができないという問題がある。なお、電力生成部を予定された順に停止させることができないと、画像形成装置の各構成要素に予定していない電力が供給されて各構成要素の破損が発生する虞がある。
【０００８】
一方、電力生成部１３０１〜１３０３の電圧値の減衰速度が電力生成部１３０１〜１３０３の負荷によって変化する場合であっても、電力生成部１３０１〜１３０３を予定された順に停止するために、電力生成部１３０１〜１３０３の負荷に応じた電力生成部１３０１〜１３０３の電圧値の減衰速度をＯＮ／ＯＦＦ回路１３０４に予め設定することが考えられるが、この設定はユーザの手間を増やすとともにＯＮ／ＯＦＦ回路１３０４の回路構成を複雑にする虞がある。
【０００９】
本発明の目的は、回路構成を複雑にすることなく、複数の電力生成部の電圧値の減衰速度が各電力生成部の負荷によって変化しても各電力生成部を予定された順に停止させることができる電力供給装置、画像形成装置、電力供給装置の制御方法、画像形成装置の制御方法、及びプログラムを提供することにある。
【課題を解決するための手段】
【００１０】
上記目的を達成するために、本発明の電力供給装置は、電力を生成する第１の電力生成部及び第２の電力生成部を備える電力供給装置において、前記第１の電力生成部及び前記第２の電力生成部を停止する停止処理を実行する実行手段と、前記第１の電力生成部及び前記第２の電力生成部に対して前記停止処理を開始するための第１の信号及び第２の信号を出力するとともに、前記第１の信号及び前記第２の信号を出力するタイミングを制御する制御手段と、前記第１の電力生成部及び前記第２の電力生成部の負荷に基づいて前記第１の電力生成部及び前記第２の電力生成部の前記停止処理に要する時間と前記第１の電力生成部及び前記第２の電力生成部の前記停止処理を開始する順序とを取得する取得手段とを備え、前記取得された前記時間と前記順序とに基づいて前記タイミングが制御されることを特徴とする。
【発明の効果】
【００１１】
本発明によれば、簡単な回路構成により、起動された複数の電力生成部の電圧値の減衰速度が電力生成部の負荷によって変化する各電力生成部を予定された順に停止させることができる。
【図面の簡単な説明】
【００１２】
【図１】本発明の実施の形態に係る画像形成装置の正面図である。
【図２】図１の画像形成装置の内部構成を概略的に示すブロック図である。
【図３】図２におけるコントローラ部の内部構成を概略的に示すブロック図である。
【図４】図２の画像形成装置の仕様情報を電力生成部の負荷に関連付けて説明するために用いられる図である。
【図５】図３における電力生成部を起動する起動処理の手順を示すフローチャートである。
【図６】図５の起動処理において起動された電力生成部を停止する停止処理の手順を示すフローチャートである。
【図７】図６の停止処理において参照される停止時間情報を説明するために用いられる図である。
【図８】図６の停止処理において参照されるタイミング情報を説明するために用いられる図である。
【図９】図４における標準仕様の画像形成装置が有する電力生成部の停止時のタイミングチャートである。
【図１０】図４における画像処理部追加仕様の画像形成装置が有する電力生成部の停止時のタイミングチャートである。
【図１１】図４におけるＦＡＸ部追加仕様の画像形成装置が有する電力生成部の停止時のタイミングチャートである。
【図１２】図４における暗号化／復号化部追加仕様の画像形成装置が有する電力生成部の停止時のタイミングチャートである。
【図１３】従来の画像形成装置の各構成要素に供給される電力を生成する複数の電力生成部を説明するために用いられるブロック図である。
【図１４】図１３における各電力生成部の起動時及び停止時のタイミングチャートである。
【図１５】図１３における各電力生成部の停止順序が変更される場合のタイミングチャートである。
【発明を実施するための形態】
【００１３】
以下、本発明の実施の形態について図面を参照しながら詳述する。
【００１４】
図１は、本発明の実施の形態に係る画像形成装置１０１の正面図である。
【００１５】
図１の画像形成装置１０１、例えば、ＭＦＰ（Multi-Function Printer）１０１はスキャナ部１０２、プリンタ部１０３、操作部１０４、コントローラ部１０５、コンセント１０６、及びメインスイッチ１０７を備え、スキャナ部１０２はトレイ１０８を有し、プリンタ部１０３はカセット１０９〜１１１及び排紙トレイ１１２を有する。
【００１６】
スキャナ部１０２は原稿を読み取るとともに当該原稿に対応する画像データを生成する。トレイ１０８に原稿がセットされ、ユーザが操作部１０４を介してトレイ１０８にセットされた原稿の読み取りを指示したとき、スキャナ部１０２は原稿の読み取りを開始する。プリンタ部１０３は、例えば、スキャナ部１０２によって生成された画像データを記録紙に印刷する。記録紙はカセット１０９〜１１１に格納され、画像データが印刷された記録紙は排紙トレイ１１２に排出される。コントローラ部１０５は画像形成装置１０１の動作を制御するとともに、画像形成装置１０１に供給される電力を制御する。
【００１７】
図２は、図１の画像形成装置１０１の内部構成を概略的に示すブロック図である。
【００１８】
図２の画像形成装置１０１はスキャナ部１０２、プリンタ部１０３、操作部１０４、コントローラ部１０５、コンセント１０６、メインスイッチ１０７、及び常夜電源部２０１ａと非常夜電源部２０１ｂとを有する電力供給部２０１を備え、スキャナ部１０２、プリンタ部１０３、操作部１０４、及びコントローラ部１０５は電力供給部２０１を介して互いに接続されている。また、コントローラ部１０５はネットワーク２０２に接続され、例えば、ネットワーク２０２を介して接続される外部装置（図示しない）と画像データを送受信する。さらに、コントローラ部１０５はスキャナ部１０２、プリンタ部１０３、及び操作部１０４に接続され、電力供給部２０１はコンセント１０６及びメインスイッチ１０７に接続されている。
【００１９】
ユーザがメインスイッチ１０７を押下するとコンセント１０６から電力供給部２０１に直流の電力が供給される。電力供給部２０１は供給された直流の電力を交流の電力に変換し、変換された交流の電力を常夜電源部２０１ａ及び非常夜電源部２０１ｂに供給する。ここで、常夜電源部２０１ａは画像形成装置１０１が起動して停止するまでの間、例えば、後述のＣＰＵ３０１、ＤＣＤＣ制御部３２２、及びＯＮ／ＯＦＦ回路３２３に電力を供給し続け、非常夜電源部２０１ｂは画像形成装置１０１が起動して停止するまでの間、所定の場合、例えば、画像形成装置がスリープモードに移行した場合を除き、後述の電力生成部３２４〜３２６に電力を供給する。電力供給部２０１は変換された交流の電力を常夜電源部２０１ａを介してスキャナ部１０２、操作部１０４、及びコントローラ部１０５に供給するとともに、変換された交流の電力を非常夜電源部２０１ｂを介してスキャナ部１０２、プリンタ部１０３、操作部１０４、及びコントローラ部１０５に供給する（画像形成装置１０１の起動）。その後、ユーザがメインスイッチ１０７を再度押下すると、電力供給部２０１は常夜電源部２０１ａ及び非常夜電源部２０１ｂへの交流の電力の供給を停止する（画像形成装置１０１の停止）。
【００２０】
図３は、図２におけるコントローラ部１０５の内部構成を概略的に示すブロック図である。
【００２１】
図３のコントローラ部１０５は、ＣＰＵ３０１、ＲＡＭ３０２、ＲＯＭ３０３、ＨＤＤ３０４、操作部Ｉ／Ｆ３０５、ＬＡＮ３０６、画像処理部３０７、スキャナ画像処理部３０８、スキャナＩ／Ｆ３０９、プリンタ画像処理部３１０、プリンタＩ／Ｆ３１１、及びＵＳＢＩ／Ｆ３１２を備え、ＣＰＵ３０１、ＲＡＭ３０２、ＲＯＭ３０３、ＨＤＤ３０４、操作部Ｉ／Ｆ３０５、ＬＡＮ３０６、画像処理部３０７、スキャナ画像処理部３０８、及びプリンタ画像処理部３１０は、システムバス３１４を介して互いに接続されている。また、操作部Ｉ／Ｆ３０５は操作部１０４及びシステムバス３１４を接続し、ＬＡＮ３０６はネットワーク２０２及びシステムバス３１４を接続し、スキャナＩ／Ｆ３０９はスキャナ部１０２及びスキャナ画像処理部３０８を接続し、プリンタＩ／Ｆ３１１はプリンタ部１０３及びプリンタ画像処理部３１０を接続する。さらに、ＵＳＢＩ／Ｆ３１２には外部装置としてのＵＳＢデバイスであるＵＳＢ３１３が接続される。
【００２２】
ＣＰＵ３０１はＲＯＭ３０３に格納された制御プログラム等に応じてコントローラ部１０５を制御する。また、ＣＰＵ３０１はコントローラ部１０５が備える構成要素に応じて画像形成装置１０１の仕様を特定する。ＲＡＭ３０２はＣＰＵ３０１のワークメモリであるとともに、各種データを一時的に格納するメモリである。ＲＡＭ３０２は不揮発性のメモリであるＳＲＡＭと揮発性のメモリであるＤＲＡＭとから構成される。ＲＯＭ３０３はＣＰＵ３０１によって実行されるブートプログラム等の各種プログラムを格納する。
【００２３】
ＨＤＤ３０４はシステムソフトウェアや画像データを格納する。画像処理部３０７は、例えば、ＲＡＭ３０２に格納されている画像データを読み出して拡大及び縮小、色彩の調整等を施す。スキャナ画像処理部３０８は、スキャナ部１０２から画像データを取得し、取得した画像データが、例えば、カラー原稿、白黒原稿、文字原稿、及び写真原稿のいずれか１つの原稿であるか否かを判別し、判別結果に応じて画像データに補正、加工、及び編集を施す。プリンタ画像処理部３１０は、プリンタ部１０３が記録紙等に画像データを印刷するとき、当該画像データの補正、解像度変換等の各種処理を実行する。
【００２４】
また、コントローラ部１０５はユーザの要求に応じて各種デバイスを追加可能に構成されている。具体的に、コントローラ部１０５にはＵＳＢＩ／Ｆ３１５、ＲＡＭ３１６、暗号化／復号化部３１７、画像処理部３１８、及びＦＡＸ部３１９が追加可能であり、ＵＳＢＩ／Ｆ３１５、ＲＡＭ３１６、暗号化／復号化部３１７、画像処理部３１８、ＦＡＸ部３１９が追加されたとき、追加された各構成要素も、また、システムバス３１４を介して互いに接続される。ＵＳＢＩ／Ｆ３１５には外部装置としてのＵＳＢデバイスであるＵＳＢ３２０が接続される。
【００２５】
ＲＡＭ３１６が追加されたとき、ワークメモリとして機能するＲＡＭ３０２のメモリ容量が拡張される。暗号化／復号化部３１７が追加されたとき、暗号化／復号化部３１７はＨＤＤ３０４及びシステムバス３１４を接続し、ＨＤＤ３０４に格納されるデータに暗号化処理又は復号化処理を施す。画像処理部３１８が追加されたとき、画像処理部３１８は画像処理部３０７とともに画像データの処理を実行する。ＦＡＸ部３１９が追加されたとき、ＦＡＸ部３１９は公衆電話回線３２１を介して外部装置とのＦＡＸ通信を実行する。
【００２６】
さらに、コントローラ部１０５は電源制御部３５０を備え、電源制御部３５０はＤＣＤＣ制御部３２２、ＯＮ／ＯＦＦ回路３２３、電力生成部３２４〜３２６、及び負荷３２７〜３２９を備える。ＣＰＵ３０１、ＯＮ／ＯＦＦ回路３２３、及び電力生成部３２４〜３２６はＤＣＤＣ制御部３２２を介して互いに接続されている。また、電力生成部３２４〜３２６には夫々負荷３２７〜３２９が接続されている。
【００２７】
ＤＣＤＣ制御部３２２はＣＰＵ３０１によって制御される。また、ＤＣＤＣ制御部３２２は電力生成部３２４〜３２６を起動し又は停止するための信号ＥＮ１〜ＥＮ３を電力生成部３２４〜３２６に出力するとともに、信号ＥＮ１〜ＥＮ３を出力するタイミングを制御する。さらに、ＤＣＤＣ制御部３２２は電力生成部３２４〜３２６から信号ＲＤＹ１〜ＲＤＹ３が入力されるとともに、非常夜電源部２０１ｂに電力の供給又は停止を指示する信号を出力する。ＯＮ／ＯＦＦ回路３２３は電力生成部３２４〜３２６を起動し又は停止するトリガである信号ＥＮ０を生成してＤＣＤＣ制御部３２２に出力する。
【００２８】
電力生成部３２４〜３２６は信号ＥＮ１〜ＥＮ３を入力されるイネーブル制御信号入力機能及びレディ状態出力機能を有するＤＣＤＣコンバータから構成される。電力生成部３２４は電圧値Ｖ１を上昇させながら電力を生成し、負荷３２７は電力生成部３２４によって生成された電力を消費する。電力生成部３２５は電圧値Ｖ２を上昇させながら電力を生成し、負荷３２８は電力生成部３２５によって生成された電力を消費する。このとき、電圧値Ｖ１は常に電圧値Ｖ２を上回る。電力生成部３２６は電圧値Ｖ３を上昇させながら電力を生成し、負荷３２９は電力生成部３２６によって生成された電力を消費する。このとき、電圧値Ｖ２は常に電圧値Ｖ３を上回る。
【００２９】
負荷３２７〜負荷３２９によって消費される電力量は画像形成装置１０１の仕様によって異なり、例えば、仕様情報４００（図４）に示されている仕様４０１（標準仕様）では、負荷３２７によって消費される電力量はＲＡＭ３０２、ＲＯＭ３０３、ＨＤＤ３０４、操作部Ｉ／Ｆ３０５、ＬＡＮ３０６、画像処理部３０７、スキャナ画像処理部３０８、スキャナＩ／Ｆ３０９、プリンタ画像処理部３１０、プリンタＩ／Ｆ３１１、及びＵＳＢＩ／Ｆ３１２によって消費される電力量の合計であり、負荷３２８によって消費される電力量は画像処理部３０７、スキャナ画像処理部３０８、及びプリンタ画像処理部３１０によって消費される電力量の合計であり、負荷３２９によって消費される電力量は画像処理部３０７によって消費される電力量である。
【００３０】
仕様４０２（画像処理部追加仕様）では、負荷３２７によって消費される電力量は仕様４０１における負荷３２７によって消費される電力量にＵＳＢＩ／Ｆ３１５、ＲＡＭ３１６、及び画像処理部３１８によって消費される電力量が追加された電力量であり、負荷３２８によって消費される電力量は仕様４０１における負荷３２８によって消費される電力量に画像処理部３１８によって消費される電力量が追加された電力量であり、負荷３２９によって消費される電力量は仕様４０１における負荷３２９によって消費される電力量に画像処理部３１８によって消費される電力量が追加された電力量である。
【００３１】
仕様４０３（ＦＡＸ部追加仕様）では、負荷３２７によって消費される電力量は仕様４０２における負荷３２７によって消費される電力量にＦＡＸ部３１９によって消費される電力量が追加された電力量であり、負荷３２８によって消費される電力量は仕様４０２における負荷３２８によって消費される電力量にＦＡＸ部３１９によって消費される電力量が追加された電力量である。
【００３２】
仕様４０４（暗号化／復号化部追加仕様）では、負荷３２７〜３２９によって消費される電力量は仕様４０３における負荷３２７〜３２９によって消費される電力量に暗号化／復号化部３１７によって消費される電力量が追加された電力量である。
【００３３】
図５は、図３における電力生成部３２４〜３２６を起動する起動処理の手順を示すフローチャートである。
【００３４】
図５において、まず、ユーザによってメインスイッチ１０７が押下されて画像形成装置１０１の起動が指示されると（ステップＳ５０１）、常夜電源部２０１ａからＣＰＵ３０１、ＤＣＤＣ制御部３２２、及びＯＮ／ＯＦＦ回路３２３に電力が供給され、その後、非常夜電源部２０１ｂを介して電力生成部３２４〜３２６に電力の供給が可能になる（ステップＳ５０２）。次いで、ＯＮ／ＯＦＦ回路３２３は電力生成部３２４〜３２６を起動するトリガである信号ＥＮ０を生成してＤＣＤＣ制御部３２２に出力し（ステップＳ５０３）、信号ＥＮ０が入力されたＤＣＤＣ制御部３２２は電力生成部３２４に信号ＥＮ１（第１の信号）を出力し（ステップＳ５０４）、信号ＥＮ１が入力された電力生成部３２４が起動する（ステップＳ５０５）。電力生成部３２４が起動して電力生成部３２４の電圧値が所定の電圧値となると電力生成部３２４はＤＣＤＣ制御部３２２に信号ＲＤＹ１を出力し（ステップＳ５０６）、ＤＣＤＣ制御部３２２は信号ＲＤＹ１が入力されたか否かを判別する（ステップＳ５０７）。
【００３５】
ステップＳ５０７の判別の結果、ＤＣＤＣ制御部３２２は信号ＲＤＹ１が入力されていないとき、電力生成部３２４にエラーが発生したとして、例えば、操作部１０４にエラー表示を表示し（ステップＳ５０８）、本処理を終了する。一方、ＤＣＤＣ制御部３２２は信号ＲＤＹ１が入力されたとき、電力生成部３２５に信号ＥＮ２（第２の信号）を出力し（ステップＳ５０９）、信号ＥＮ２が入力された電力生成部３２５が起動する（ステップＳ５１０）。電力生成部３２５が起動して電力生成部３２５の電圧値が所定の電圧値となると電力生成部３２５はＤＣＤＣ制御部３２２に信号ＲＤＹ２を出力し（ステップＳ５１１）、ＤＣＤＣ制御部３２２は信号ＲＤＹ２が入力されたか否かを判別する（ステップＳ５１２）。
【００３６】
ステップＳ５１２の判別の結果、ＤＣＤＣ制御部３２２は信号ＲＤＹ２が入力されていないとき、ステップＳ５０８に進み、ＤＣＤＣ制御部３２２は信号ＲＤＹ２が入力されたとき、電力生成部３２６に信号ＥＮ３を出力し（ステップＳ５１３）、信号ＥＮ３が入力された電力生成部３２６が起動する（ステップＳ５１４）。電力生成部３２６が起動して電力生成部３２６の電圧値が所定の電圧値となると電力生成部３２６はＤＣＤＣ制御部３２２に信号ＲＤＹ３を出力し（ステップＳ５１５）、ＤＣＤＣ制御部３２２は信号ＲＤＹ３が入力されたか否かを判別する（ステップＳ５１６）。
【００３７】
ステップＳ５１６の判別の結果、ＤＣＤＣ制御部３２２は信号ＲＤＹ３が入力されていないとき、ステップＳ５０８に進み、ＤＣＤＣ制御部３２２は信号ＲＤＹ３が入力されたとき、ＣＰＵ３０１はコントローラ部１０５が備える構成要素に応じて仕様情報４００を参照して画像形成装置１０１の仕様を特定し、特定された仕様を、例えば、ＲＯＭ３０３に記録し（ステップＳ５１７）、本処理を終了する。
【００３８】
図６は、図５の起動処理において起動された電力生成部３２４〜３２６を停止する停止処理の手順を示すフローチャートである。なお、本実施の形態では、画像形成装置１０１の各構成要素の破損の発生を防止するために、電力生成部３２４〜３２６は電力生成部３２６、電力生成部３２５（第１の電力生成部）、電力生成部３２４（第２の電力生成部）の電圧値Ｖ３〜Ｖ１がこの順で停止することを前提とする。
【００３９】
図６において、まず、ユーザによってメインスイッチ１０７が押下されて画像形成装置１０１の停止が指示され、又は画像形成装置１０１がスリープモードに移行される（ステップＳ６０１）。ここで、スリープモードとは、画像形成装置１０１が有する省電力モードの１つであり、画像形成装置１０１の一部の構成要素に電力が供給されない省電力モードである。
【００４０】
次いで、ＣＰＵ３０１はステップＳ５１７において記録された負荷３２７〜負荷３２９に関する情報に応じて画像形成装置１０１の仕様が仕様４０１であるか否かを判別する（ステップＳ６０２）。ステップＳ６０２の判別の結果、画像形成装置１０１の仕様が仕様４０１であるとき、ＤＣＤＣ制御部３２２は電力生成部３２４〜３２６の電圧値Ｖ１〜Ｖ３のそれぞれを停止するために必要となる時間（以下、「電圧降下時間」という。）を、停止時間情報７００（図７）を参照して取得し（ステップＳ６０３）、信号ＥＮ１〜ＥＮ３を出力するタイミングに関する情報（以下、「ＥＮ信号出力タイミング情報」という。）を、タイミング情報８００，８１０（図８）を参照して取得し（ステップＳ６０４）、停止時間情報７００及びタイミング情報８００，８１０から取得された電力生成部３２４〜３２６の電圧降下時間やＥＮ信号出力タイミング情報に応じて電力生成部３２４〜３２６の停止を開始するための信号ＥＮ１〜ＥＮ３を出力する（ステップＳ６０５）。
【００４１】
ここで、図７の停止時間情報７００は電力生成部３２４〜３２６の電圧値を停止するために必要となる時間を画像形成装置１０１の各仕様に応じて規定している。例えば、画像形成装置１０１の仕様が仕様４０１の場合、電力生成部３２４の電圧値Ｖ１を停止するために必要となる時間はｔ１１であり、電力生成部３２５の電圧値Ｖ２を停止するために必要となる時間はｔ１２であり、電力生成部３２６の電圧値Ｖ３を停止するために必要となる時間はｔ１３である。ここでは、時間ｔ１１〜ｔ１３の関係はｔ１１＞ｔ１２＞ｔ１３とする（図９（ａ）〜（ｃ）参照）。
【００４２】
また、画像形成装置１０１の仕様が仕様４０２の場合、電力生成部３２４の電圧値Ｖ１を停止するために必要となる時間はｔ２１であり、電力生成部３２５の電圧値Ｖ２を停止するために必要となる時間はｔ２２であり、電力生成部３２６の電圧値Ｖ３を停止するために必要となる時間はｔ２３である。ここでは、時間ｔ２１〜ｔ２３の関係はｔ２１＝ｔ２２＞ｔ２３とする（図１０（ａ）〜（ｃ）参照）。
【００４３】
さらに、画像形成装置１０１の仕様が仕様４０３の場合、電力生成部３２４の電圧値Ｖ１を停止するために必要となる時間はｔ３１であり、電力生成部３２５の電圧値Ｖ２を停止するために必要となる時間はｔ３２であり、電力生成部３２６の電圧値Ｖ３を停止するために必要となる時間はｔ３３である。ここでは、時間ｔ３１〜ｔ３３の関係はｔ３１＝ｔ３２＞ｔ３３とする（図１１（ａ）〜（ｃ）参照）。
【００４４】
また、画像形成装置１０１の仕様が仕様４０４の場合、電力生成部３２４の電圧値Ｖ１を停止するために必要となる時間はｔ４１であり、電力生成部３２５の電圧値Ｖ２を停止するために必要となる時間はｔ４２であり、電力生成部３２６の電圧値Ｖ３を停止するために必要となる時間はｔ４３である。ここでは、時間ｔ４１〜ｔ４３の関係はｔ４１＝ｔ４２＞ｔ４３とする（図１２（ａ）〜（ｃ）参照）。
【００４５】
図８のタイミング情報８００は電力生成部３２４〜３２６の停止処理を開始する順序を画像形成装置１０１の各仕様に応じて規定する。また、図８のタイミング情報８１０は、１番目に停止処理が開始される電力生成部の停止処理が開始される時刻（以下、「停止処理開始時刻」という。）から２番目に停止処理が開始される電力生成部の停止処理開始時刻までの経過時間、２番目に停止処理が開始される電力生成部の停止処理開始時刻から３番目に停止処理が開始される電力生成部の停止処理開始時刻までの経過時間を画像形成装置１０１の各仕様に応じて規定する。
【００４６】
例えば、画像形成装置１０１の仕様が仕様４０１の場合、電力生成部３２４〜３２６の停止処理は、電力生成部３２４、電力生成部３２５、電力生成部３２６の順に順次開始される。また、電力生成部３２４の停止処理開始時刻から電力生成部３２５の停止処理開始時刻までの経過時間はＴ１１２であり、電力生成部３２５の停止処理開始時刻から電力生成部３２６の停止処理開始時刻までの経過時間はＴ１２３である（図９（ｄ）参照）。
【００４７】
仕様４０１では、停止処理が電力生成部３２４、電力生成部３２５、電力生成部３２６の順に順次開始される一方、電力生成部３２４〜３２６の電圧値Ｖ１〜Ｖ３が電力生成部３２６、電力生成部３２５、電力生成部３２４の順に順次停止するために、電力生成部３２５の停止処理開始時刻は、電力生成部３２４の停止処理の停止処理開始時刻に時間ｔ１１を加算した時刻から時間ｔ１２を減算した時刻よりも前であることを要する。また、電力生成部３２６の停止処理開始時刻は、電力生成部３２５の停止処理の停止処理開始時刻に時間ｔ１２を加算した時刻から時間ｔ１３を減算した時刻よりも前であることを要する。
【００４８】
これに対応して、画像形成装置１０１の仕様が仕様４０１の場合、ステップＳ６０５において、信号ＥＮ１〜ＥＮ３は、電力生成部３２５の停止処理開始時刻が電力生成部３２４の停止処理の停止処理開始時刻に時間ｔ１１を加算した時刻から時間ｔ１２を減算した時刻よりも前となり、電力生成部３２６の停止処理開始時刻が電力生成部３２５の停止処理の停止処理開始時刻に時間ｔ１２を加算した時刻から時間ｔ１３を減算した時刻よりも前となるように出力される。
【００４９】
図６に戻り、ステップＳ６０５の後、出力された信号ＥＮ１〜ＥＮ３に応じて電力生成部３２４〜３２６の停止処理を開始し（ステップＳ６１４）、本処理を終了する。
【００５０】
ステップＳ６０２の判別の結果、画像形成装置１０１の仕様が仕様４０１でないとき、ＣＰＵ３０１はステップＳ５１７において記録された負荷３２７〜負荷３２９に関する情報に応じて画像形成装置１０１の仕様が仕様４０２であるか否かを判別する（ステップＳ６０６）。ステップＳ６０６の判別の結果、画像形成装置１０１の仕様が仕様４０２であるとき、ＤＣＤＣ制御部３２２は電力生成部３２４〜３２６の電圧値Ｖ１〜Ｖ３のそれぞれを停止するのに要する時間を、停止時間情報７００を参照して取得し（ステップＳ６０７）、ＥＮ信号出力タイミング情報を、タイミング情報８００，８１０を参照して取得し（ステップＳ６０８）、ステップＳ６０５に進む。
【００５１】
画像形成装置１０１の仕様が仕様４０２の場合、電力生成部３２４〜３２６の停止処理は、電力生成部３２５、電力生成部３２４、電力生成部３２６の順に順次開始される。電力生成部３２５の停止処理開始時刻から電力生成部３２４の停止処理開始時刻までの経過時間はＴ２１２であり、電力生成部３２４の停止処理開始時刻から電力生成部３２６の停止処理開始時刻までの経過時間はＴ２２３である（図１０（ｄ）参照）。
【００５２】
仕様４０２では、停止処理が電力生成部３２５、電力生成部３２４、電力生成部３２６の順に順次開始される一方、電力生成部３２４〜３２６の電圧値Ｖ１〜Ｖ３が電力生成部３２６、電力生成部３２５、電力生成部３２４の順に順次停止するために、電力生成部３２５の停止処理開始時刻は、電力生成部３２４の停止処理の停止処理開始時刻に時間ｔ２１を加算した時刻から時間ｔ２２を減算した時刻よりも前であることを要する。また、電力生成部３２６の停止処理開始時刻は、電力生成部３２５の停止処理の停止処理開始時刻に時間ｔ２２を加算した時刻から時間ｔ２３を減算した時刻よりも前であることを要する。
【００５３】
これに対応して、画像形成装置１０１の仕様が仕様４０２の場合、ステップＳ６０５において、信号ＥＮ１〜ＥＮ３は、電力生成部３２５の停止処理開始時刻が電力生成部３２４の停止処理の停止処理開始時刻に時間ｔ２１を加算した時刻から時間ｔ２２を減算した時刻よりも前となり、電力生成部３２６の停止処理開始時刻が電力生成部３２５の停止処理の停止処理開始時刻に時間ｔ２２を加算した時刻から時間ｔ２３を減算した時刻よりも前となるように出力される。
【００５４】
図６に戻り、ステップＳ６０５の後、出力された信号ＥＮ１〜ＥＮ３に応じて電力生成部３２４〜３２６の停止処理を開始し（ステップＳ６１４）、本処理を終了する。
【００５５】
ステップＳ６０６の判別の結果、画像形成装置１０１の仕様が仕様４０２でないとき、ＣＰＵ３０１はステップＳ５１７において記録された負荷３２７〜負荷３２９に関する情報に応じて画像形成装置１０１の仕様が仕様４０３であるか否かを判別する（ステップＳ６０９）。ステップＳ６０９の判別の結果、画像形成装置１０１の仕様が仕様４０３であるとき、ＤＣＤＣ制御部３２２は電力生成部３２４〜３２６の電圧値Ｖ１〜Ｖ３のそれぞれを停止するのに要する時間を、停止時間情報７００を参照して取得し（ステップＳ６１０）、ＥＮ信号出力タイミング情報を、タイミング情報８００，８１０を参照して取得し（ステップＳ６１１）、ステップＳ６０５に進む。
【００５６】
画像形成装置１０１の仕様が仕様４０３の場合、電力生成部３２５及び電力生成部３２６の停止処理が同時に開始され、その後、電力生成部３２４の停止処理が開始される。電力生成部３２５及び電力生成部３２６の停止処理開始時刻から電力生成部３２４の停止処理開始時刻までの経過時間はＴ３１３である（図１１（ｄ）参照）。
【００５７】
仕様４０３では、電力生成部３２５及び電力生成部３２６の停止処理が同時に開始され、その後、電力生成部３２４の停止処理が開始される一方、電力生成部３２４〜３２６の電圧値Ｖ１〜Ｖ３が電力生成部３２６、電力生成部３２５、電力生成部３２４の順に順次停止するために、電力生成部３２５の停止処理開始時刻は、電力生成部３２４の停止処理の停止処理開始時刻に時間ｔ３１を加算した時刻から時間ｔ３２を減算した時刻よりも前であることを要する。また、電力生成部３２６の停止処理開始時刻は、電力生成部３２５の停止処理の停止処理開始時刻に時間ｔ３２を加算した時刻から時間ｔ３３を減算した時刻よりも前であることを要する。
【００５８】
これに対応して、画像形成装置１０１の仕様が仕様４０３の場合、ステップＳ６０５において、信号ＥＮ１〜ＥＮ３は、電力生成部３２５の停止処理開始時刻が電力生成部３２４の停止処理の停止処理開始時刻に時間ｔ３１を加算した時刻から時間ｔ３２を減算した時刻よりも前となり、電力生成部３２６の停止処理開始時刻が電力生成部３２５の停止処理の停止処理開始時刻に時間ｔ３２を加算した時刻から時間ｔ３３を減算した時刻よりも前となるように出力される。
【００５９】
図６に戻り、ステップＳ６０５の後、出力された信号ＥＮ１〜ＥＮ３に応じて電力生成部３２４〜３２６の停止処理を開始し（ステップＳ６１４）、本処理を終了する。
【００６０】
ステップＳ６０９の判別の結果、画像形成装置１０１の仕様が仕様４０３でないとき（すなわち、画像形成装置１０１の仕様が仕様４０４であるとき）、ＤＣＤＣ制御部３２２は電力生成部３２４〜３２６の電圧値Ｖ１〜Ｖ３のそれぞれを停止するのに要する時間を、停止時間情報７００を参照して取得し（ステップＳ６１２）、ＥＮ信号出力タイミング情報を、タイミング情報８００，８１０を参照して取得し（ステップＳ６１３）、ステップＳ６０５に進む。
【００６１】
画像形成装置１０１の仕様が仕様４０４の場合、電力生成部３２５の停止処理が開始され、その後、電力生成部３２４及び電力生成部３２６の停止処理が同時に開始される。電力生成部３２５の停止処理開始時刻から電力生成部３２４及び電力生成部３２６の停止処理開始時刻までの経過時間はＴ４１２である（図１２（ｄ）参照）。
【００６２】
仕様４０４では、電力生成部３２５の停止処理が開始され、その後、電力生成部３２４及び電力生成部３２６の停止処理が同時に開始される一方、電力生成部３２４〜３２６の電圧値Ｖ１〜Ｖ３が電力生成部３２６、電力生成部３２５、電力生成部３２４の順に順次停止するために、電力生成部３２５の停止処理開始時刻は、電力生成部３２４の停止処理の停止処理開始時刻に時間ｔ４１を加算した時刻から時間ｔ４２を減算した時刻よりも前であることを要する。また、電力生成部３２６の停止処理開始時刻は、電力生成部３２５の停止処理の停止処理開始時刻に時間ｔ４２を加算した時刻から時間ｔ４３を減算した時刻よりも前であることを要する。
【００６３】
これに対応して、画像形成装置１０１の仕様が仕様４０４の場合、ステップＳ６０５において、信号ＥＮ１〜ＥＮ３は、電力生成部３２５の停止処理開始時刻が電力生成部３２４の停止処理の停止処理開始時刻に時間ｔ４１を加算した時刻から時間ｔ４２を減算した時刻よりも前となり、電力生成部３２６の停止処理開始時刻が電力生成部３２５の停止処理の停止処理開始時刻に時間ｔ４２を加算した時刻から時間ｔ４３を減算した時刻よりも前となるように出力される。
【００６４】
図６に戻り、ステップＳ６０５の後、出力された信号ＥＮ１〜ＥＮ３に応じて電力生成部３２４〜３２６の停止処理を開始し（ステップＳ６１４）、本処理を終了する。
【００６５】
図６の処理によれば、電力生成部３２４〜３２６の電圧降下時間が停止時間情報７００（図７）を参照して取得され（ステップＳ６０３，Ｓ６０７，Ｓ６１０，Ｓ６１２）、ＥＮ信号出力タイミング情報がタイミング情報８００，８１０（図８）を参照して取得され（ステップＳ６０４，Ｓ６０８，Ｓ６１１，Ｓ６１３）、取得された電力生成部３２４〜３２６の電圧降下時間及びＥＮ信号出力タイミング情報に応じて電力生成部３２４〜３２６の停止を開始するための信号ＥＮ１〜ＥＮ３が出力される。
【００６６】
すなわち、停止時間情報７００及びタイミング情報８００，８１０に応じて、電力生成部３２６、電力生成部３２５、電力生成部３２４の電圧値Ｖ３〜Ｖ１がこの順で停止するように、電力生成部３２４〜３２６の停止処理が開始されるので、電力生成部３２４の電圧値Ｖ１よりも早く停止することが予定されている電力生成部３２５の電圧値Ｖ２が、電力生成部３２４の電圧値Ｖ１よりも後に停止すること、及び電力生成部３２５の電圧値Ｖ２よりも早く停止することが予定されている電力生成部３２６の電圧値Ｖ３が、電力生成部３２５の電圧値Ｖ２よりも後に停止することを防止でき、もって、複数の電力生成部の電圧値を予定された順に停止することができる。その結果、画像形成装置１０１の各構成要素の破損の発生を防止することができる。
【００６７】
本実施の形態において、電源制御部３５０を備える画像形成装置１０１について説明したが、電源制御部３５０は電力供給装置として他の機器、例えば、カメラや情報処理装置等に接続されてもよい。
【００６８】
本発明は、上述の実施の形態の１以上の機能を実現するプログラムを、ネットワーク又は記憶媒体を介してシステム又は装置に供給し、そのシステム又は装置のコンピュータにおける１つ以上のプロセッサーがプログラムを読み出して実行する処理でも実現可能である。また、本発明は、１以上の機能を実現する回路（例えば、ＡＳＩＣ）によっても実現可能である。
【符号の説明】
【００６９】
Ｖ１，Ｖ２，Ｖ３  電圧値
ｔ１１，ｔ１２，ｔ１３  時間
１０１  画像形成装置
１０５  コントローラ部
３２２  ＤＣＤＣ制御部
３２４，３２５，３２６  電力生成部
３５０  電源制御部
【図１】
2016134027.tif 000003
【図２】
2016134027.tif 000004
【図３】
2016134027.tif 000005
【図４】
2016134027.tif 000006
【図５】
2016134027.tif 000007
【図６】
2016134027.tif 000008
【図７】
2016134027.tif 000009
【図８】
2016134027.tif 000010
【図９】
2016134027.tif 000011
【図１０】
2016134027.tif 000012
【図１１】
2016134027.tif 000013
【図１２】
2016134027.tif 000014
【図１３】
2016134027.tif 000015
【図１４】
2016134027.tif 000016
【図１５】
2016134027.tif 000017